(57)【特許請求の範囲】
【請求項１】
（Ａ）  織成または編成されたカーテン生地の上縁部に、隣合う部分の布目隙間よりも粗い布目隙間が一直線状に続く第１筋目（１１ａ）と中間筋目（１３ａ）と第２筋目（１２ａ）の３条の筋目が、カーテン生地の上縁側（２０）から順次形成されており、（Ｂ）  中間筋目（１３ａ）の布目隙間（１３ｂ）が、第１筋目（１１ａ）と第２筋目（１２ａ）の布目隙間よりも粗く、（Ｃ）  カーテン生地の上縁（２０）と第１筋目（１１ａ）の間隔（Ｘ）が、中間筋目（１３ａ）と第２筋目（１２ａ）の間隔（Ｙ）よりも大きく（Ｘ≧Ｙ）、（Ｄ）  カーテン生地の上縁部が、第１筋目（１１ａ）と第２筋目（１２ａ）に沿って互いに逆方向に折り返され、その上縁（２０）から第１筋目（１１ａ）までの第１折返代（２１）と、第１筋目（１１ａ）と第２筋目（１２ａ）の間の第２折返代（２２）と、第２筋目（１２ａ）からカーテン生地の下縁（３０）に至る生地本体（２３）が重なった三重Ｎ字形断面構造の縁取り（２４）を形成しており、（Ｅ）  その第１折返代（２１）と第２折返代（２２）と生地本体（２３）が、第１筋目（１１ａ）に沿った第１折目（１１）と中間筋目（１３ａ）の間において、中間筋目（１３ａ）に平行に続くミシン糸目（１４）によって縫合され、そのミシン糸目（１４）を溝底として第１折返代（２１）と第２折返代（２２）に挟まれた隙間溝（２５）が形成されており、（Ｆ）  その溝底に現れている中間筋目（１３ａ）の布目隙間（１３ｂ）に、カーテン生地をカーテンレール等に吊るす吊下治具（２６）が引っ掛けられていることを特徴とする間仕切りカーテン生地。
【請求項２】
第１折返代（２１）と第２折返代（２２）と生地本体（２３）が、第２筋目（１２ａ）に沿った第２折目（１２）と中間筋目（１３ａ）の間において、上縁（２１）の長さ方向（Ｗ）に飛び飛びに縫合され、その接合箇所と接合箇所と溝底に囲まれたポケット（２７）が縁取り（２４）に付設されている前掲請求項１に記載の仕切りカーテン生地。
【請求項３】
第１筋目（１１ａ）と第２筋目（１２ａ）に直交するカーテン生地の高さ方向（Ｈ）において、生地本体（２３）が目粗な透視部（２８）と緻密な遮蔽部（２９）に区分されており、カーテン生地の上縁側（２０）に透視部（２８）が位置し、カーテン生地の下縁側（３０）に遮蔽部（２９）が位置している前掲請求項１と請求項２の何れかに記載の間仕切りカーテン生地。
【請求項４】
上縁（２０）が続くカーテン生地の長さ方向（Ｗ）に所要の間隔をおいて、その長さ方向（Ｗ）に直交する筋目（１６）がカーテン生地に付けられており、その筋目（１６）の織編組織構造と、その筋目（１６）に隣合う部分の織編組織構造が異なっており、カーテン生地の長さ方向（Ｗ）におけるカーテン生地の可撓性が、その筋目（１６）を境にして非連続的に変化している前掲請求項１と請求項２と請求項３の何れかに記載の仕切りカーテン生地。
【発明の詳細な説明】
【０００１】
【発明の属する技術分野】
本発明は、主として共同宿泊所、病院、社会福祉施設、営舎等におけるベッド間や宴会場や催物会場等の広い空間を間仕切るために使用されるカーテン生地に関するものである。
【０００２】
【従来の技術】
間仕切りカーテン生地は、頻繁にカーテンレールから取り外して洗濯し再使用されるので、その都度吊下治具を取り外さず取り付けたまま丸洗い出来るように種々の試みがなされており、その一例として、上縁部に芯地テープを二重に取り付け、それに吊下治具を包み込むためのポケットを付設し、そのポケットに出没可能に吊下治具を取り付けたレンタル業務用間仕切りカーテン生地が知られている（特開２００２−２０９７２０、特開２００２−２０４７４５、特開２００２−１９１４９６、特公昭６０−１２０４７）。
【０００３】
【発明が解決しようとする課題】
上縁部にポケットの付設されたカーテン生地では、そのポケットに吊下治具を押し込むことにより、それを取り外さずに丸洗いすることが出来るとしても、それをポケットに包み込むのに手間取るので格別効率的とは言えず、却って、芯地テープが二重に取り付けられてカーテン生地の上縁部が硬く仕上がり、ポケットや芯地テープがむき出しに現れてカーテン生地の体裁を損ない、芯地テープを二重にした分だけコストアップになる。
【０００４】
そして、芯地テープを取り付けたカーテン生地では、カーテンを閉めた状態では上縁で弯曲した芯地テープに沿ってアーチ形ないし蒲鉾形の縦襞が出来るものの、カーテンを開けてカーテンレールの片端に引き寄せた状態では、その片端に寄せ集められて隣合うランナーとランナーの間においてカーテン生地の上縁部に出来る折目が、芯地テープに押し返されてアーチ形ないし蒲鉾形に弯曲し、寄せ集められ折り畳まれて出来るカーテン生地の襞溜まりが嵩張って居住空間を広く開放することが出来ず、又、コンパクトに折り畳んで収納・収容し難い等の不都合が起きる。
【０００５】
【発明の目的】
そこで本発明は、カーテン生地の体裁やドレープ性を損なうことなく、吊下治具をカーテン生地の上縁部に出没自在に取り付け、吊下治具を取り外さずに丸洗いすることが出来、コンパクトに折り畳んで収納・収容することが出来、その開けた状態で出来る襞溜まりの嵩が低く、居住空間を広く開放することが出来、レンタル業務に適した間仕切りカーテン生地を効率的且つ経済的に得ることを目的とする。
【０００６】
【課題を解決するための手段】
本発明に係る間仕切りカーテン生地は、（Ａ）  織成または編成されたカーテン生地の上縁部に、隣合う部分の布目隙間よりも粗い布目隙間が一直線状に続く第１筋目１１ａと中間筋目１３ａと第２筋目１２ａの３条の筋目が、カーテン生地の上縁側（２０）から順次形成されており、（Ｂ）  中間筋目１３ａの布目隙間１３ｂが、第１筋目１１ａと第２筋目１２ａの布目隙間よりも粗く、（Ｃ）  カーテン生地の上縁２０と第１筋目１１ａの間隔Ｘが、中間筋目１３ａと第２筋目１２ａの間隔Ｙよりも大きく（Ｘ≧Ｙ）、（Ｄ）  カーテン生地の上縁部が、第１筋目１１ａと第２筋目１２ａに沿って互いに逆方向に折り返され、その上縁２０から第１筋目１１ａまでの第１折返代２１と、第１筋目１１ａと第２筋目１２ａの間の第２折返代２２と、第２筋目１２ａからカーテン生地の下縁３０に至る生地本体２３が重なった三重Ｎ字形断面構造の縁取り２４を形成しており、（Ｅ）  その第１折返代２１と第２折返代２２と生地本体２３が、第１筋目１１ａに沿った第１折目１１と中間筋目１３ａの間において、中間筋目１３ａに平行に続くミシン糸目１４によって縫合され、そのミシン糸目１４を溝底として第１折返代２１と第２折返代２２に挟まれた隙間溝２５が形成されており、（Ｆ）  その溝底に現れている中間筋目１３ａの布目隙間１３ｂに、カーテン生地をカーテンレール等に吊るすための吊下治具２６が引っ掛けられていることを第１の特徴とする。
【０００７】
本発明に係る間仕切りカーテン生地の第２の特徴は、上記第１の特徴に加えて、第１折返代２１と第２折返代２２と生地本体２３が、第２筋目１２ａに沿った第２折目１２と中間筋目１３ａの間において、上縁２１の長さ方向Ｗに飛び飛びに縫合され、その接合箇所と接合箇所と溝底に囲まれたポケット２７が縁取り２４に付設されている点にある。
【０００８】
本発明に係る間仕切りカーテン生地の第３の特徴は、上記第１および第２の何れかの特徴に加えて、第１筋目１１ａと第２筋目１２ａに直交するカーテン生地の高さ方向Ｈにおいて、生地本体２３が目粗な透視部２８と緻密な遮蔽部２９に区分されており、カーテン生地の上縁側（２０）に透視部２８が位置し、カーテン生地の下縁側（３０）に遮蔽部２９が位置している点にある。
【０００９】
本発明に係る間仕切りカーテン生地の第４の特徴は、上記第１、第２および第３の何れかの特徴に加えて、上縁２０が続くカーテン生地の長さ方向Ｗに所要の間隔をおいて、その長さ方向Ｗに直交する筋目１６がカーテン生地に付けられており、その筋目１６の織編組織構造と、その筋目１６に隣合う部分の織編組織構造が異なっており、カーテン生地の長さ方向Ｗにおけるカーテン生地の可撓性が、その筋目１６を境にして非連続的に変化している点にある。
【００１０】
【発明の実施の形態】
カーテン生地は、織物でも編物でもよい。図２は、編成されたカーテン生地を図示し、コース方向をカーテンの高さ方向Ｈに向け、ウエール方向をカーテンの幅方向Ｗ、即ち、上縁２０が続くカーテン生地の長さ方向Ｗに向けて使用される。カーテン生地は、上縁側（２０）の目粗な透視部２８と下縁側（３０）の緻密な遮蔽部２９に編み分けられている。このように透視部２８と遮蔽部２９に編み分けられたカーテン生地は、主として病室間仕切りカーテンとして使用されている（実公昭４３−１６２４、実公昭６０−４１１８６、実公昭６３−３１６７３、実公平２−３７４３３）。カーテン生地の片端側には第１折目１１となる第１筋目１１ａと、中間筋目１３ａと、第２折目１２となる第２筋目１２ａの順に３条の筋目が付けられている。第１筋目と第２筋目は、それらの筋目においてウエール方向に続く編糸に、他の部分を構成している編糸よりも細い糸条を使用して形成されている。中間筋目１３ａの左右の部分は、隣合う鎖編目列１７と鎖編目列１７を各コース毎に挿入糸１８によって連結して編成されている。その中間筋目１３ａは、ウエール間隔を粗くし、隣合う鎖編目列１７ａと鎖編目列１７ｂを５コース毎に太手の挿入糸１９で連結して形成され、太手の挿入糸１９と左右の鎖編目列１７ａと鎖編目列１７ｂに囲まれた目粗な編目１３ｂがウエール方向に連続している。
【００１１】
図３は、織成されたカーテン生地を図示し、織幅方向をカーテンの高さ方向Ｈに向け、製織方向をカーテンの幅方向Ｗ、即ち、上縁２０が続くカーテン生地の長さ方向Ｗに向けて使用される。カーテン生地の片端側には、第１折目１１となる第１筋目１１ａと、中間筋目１３ａと、第２折目１２となる第２筋目１２ａと、第１折返代２１を折り返して二重にするための捨て筋目１０が付けられている。捨て筋目１０と第１筋目１１ａと第２筋目１２ａは、それらの筋目における経糸に、他の部分を構成している経糸よりも細い糸条を使用して形成されている。その中間筋目１３ａは、経糸間隔を粗くし、隣合う各２本の経糸３１ａ・３１ａ（３１ｂ・３１ｂ）が緯糸５本毎に表裏反転した搦み織組織によって形成されており、その左右の２本１組の経糸３１ａ・３１ｂと、その２本１組の経糸３１ａ・３１ｂに結束された５本１組の緯糸３２に囲まれた目粗な織目１３ｂが経糸に平行に連続している。
【００１２】
カーテン生地は、第１筋目１１ａに沿って１８０度折り返し、その第１折目１１とは逆方向に第２筋目１２ａに沿って１８０度折り返し、その上縁２０から第１折目１１までの第１折返代２１と、第１折目１１と第２折目１２の間の第２折返代２２と、第２折目１２からカーテン生地の下縁３０に至る生地本体２３を三重にしてＮ字形断面構造の縁取り２４を形成し、その第１折目１１と第２折目１２の中間部分においてそれらの折目１１・１２に平行に続くミシン糸目１４・１５によって縫合し、そのミシン糸目１４を溝底として第１折返代２１と第２折返代２２に挟まれた隙間溝２５をカーテン生地の上縁側に形成し、その隙間溝２５に吊下治具２６を取り付けて仕立てられる。その隙間溝２５を形成している第１折返代２１と第２折返代２２と生地本体２３を、上縁２１が続くカーテン生地の長さ方向Ｗに所要の間隔をおいて飛び飛びに接合し、その接合箇所と溝底に囲まれたポケット内２７に吊下治具２６を取り付けることも出来る。
【００１３】
本発明のカーテン生地では、第１筋目１１ａと第２筋目１２ａに沿って粗い布目隙間が一直線状に連続し、それら第１筋目１１ａと第２筋目１２ａの織編組織構造がそれぞれ隣合う部分の織編組織構造と異なっているので、カーテン生地の高さ方向Ｈにおける可撓性がそれらの筋目１１ａ・１２ａを境に非連続的に大きく変わり、カーテン生地の高さ方向Ｈに折り曲げると、そのままそれらの筋目１１ａ・１２ａに沿って１８０度折り返されることになり、アイロンを当てる等して折目１１・１２をセットするまでもなく、折返代２１・２２の幅が揃って折目１１・１２のシャープな縁取り２４が形成される。
【００１４】
そのように本発明において、カーテン生地の高さ方向Ｈにおける可撓性を第１筋目１１ａと第２筋目１２ａにおいて非連続的に変化させるのは、その折目１１・１２に沿って第１折返代２１と第２折返代２２を折り返し易くするためである。同様に、カーテン生地の上縁の続く長さ方向Ｗにおける可撓性を筋目１６において非連続的に変化させるのも、その筋目１６に沿ってカーテン生地に折目が発生し、カーテンの開閉時にカーテン生地を筋目１６に沿って折り畳み易くするためである。そのために筋目１１ａ・１２ａ・１６の織編組織構造を、その筋目１１ａ・１２ａ・１６に隣合う部分の織編組織構造と異なる織編組織構造に変えるのであるが、それらの間の織編組織構造の差異は、織組織や編組織だけではなく、織糸や編糸の太さの相異、経糸密度、緯糸密度、コース密度、ウエール密度等、織糸や編糸の配置密度の差異によるものであってもよい。
【００１５】
具体的に言えば、織成されるカーテン生地では、筋目１１ａ・１２ａ・１６に平行に続く経糸または緯糸を、それらの筋目１１ａ・１２ａ・１６に隣合う部分の経糸または緯糸よりも細くし、或いは、それらの筋目１１ａ・１２ａ・１６に平行に続く経糸配列密度（経糸密度）または緯糸の配列密度（緯糸密度）を、それらの筋目１１ａ・１２ａ・１６に隣合う部分の経糸配列密度（経糸密度）または緯糸の配列密度（緯糸密度）よりも粗くする。編成されるカーテン生地では、筋目１１ａ・１２ａ・１６を構成する編糸を、それらの筋目に隣合う部分を構成する編糸よりも細くし、或いは、筋目１１ａ・１２ａ・１６に沿って続くコースやウエールの間隔（コース密度、ウエール密度）を、それらの筋目に隣合う部分のコースやウエールの間隔（コース密度、ウエール密度）よりも粗くする。筋目１１ａ・１２ａ・１６に平行に続く経糸配列密度（経糸密度）または緯糸の配列密度（緯糸密度）を、それらの隣合う部分の経糸配列密度（経糸密度）または緯糸の配列密度（緯糸密度）よりも粗くする場合、筋目１１ａ・１２ａ・１６に平行に続く経糸または緯糸を、それらの筋目に隣合う部分の経糸または緯糸よりも太くすることが出来る。同様に、筋目１１ａ・１２ａ・１６に沿って続くコースやウエールの間隔（コース密度、ウエール密度）を、それらの隣合う部分のコースやウエールの間隔（コース密度、ウエール密度）よりも粗くする場合には、筋目１１ａ・１２ａ・１６を構成する編糸を、それらの筋目に隣合う部分を構成する編糸よりも太くすることも出来る。
【００１６】
実公昭５６−５３７５６には、織物に可撓性が非連続的に変化する箇所を一直線状に設けて折り畳み易くする方法として、その可撓性が変化する直線箇所を境に織物の織組織構造を表裏反転させる方法が開示されている。又、実公昭４７−１１５７９、特公昭４６−２８７０７および特公昭５７−４７７７７には、可撓性が非連続的に変化する箇所を一直線状に編物に設けて折り畳み易くする方法として、その可撓性が変化する直線箇所の編密度を、その直線箇所に続く部分の編密度よりも粗くする方法が開示されている。本発明において、カーテン生地の可撓性を筋目１１ａ・１２ａ・１６において非連続的に変化させる方法として、これら実公昭５６−５３７５６、実公昭４７−１１５７９、特公昭４６−２８７０７および特公昭５７−４７７７７に開示された方法を採用することが出来る。
【００１７】
隙間溝２５において、中間筋目１３ａでも第１筋目１１ａや第２筋目１２ａと同様にカーテン生地の高さ方向Ｈにおける可撓性が非連続的に変化する。従って、中間筋目１３ａも、経糸密度、緯糸密度、コース密度、ウエール密度等、織糸や編糸の配置密度を、その筋目１３ａに隣合う部分よりも粗くして構成することが出来る。しかし、中間筋目１３ａは、カーテン生地を折り返し易くする第１筋目１１ａや第２筋目１２ａとは異なり、吊下治具２６を引っ掛けるためのものであり、吊下治具１３の鈎先を差し込める程度に粗くし、又、その鈎先を引っ掛けても破断しない程度に強くしなければならない。従って、その布目隙間１３ｂは、図２に図示するように太手の糸条によって構成し、或いは、図３に図示するように数本の糸条を１束に纏めて構成する。
【００１８】
吊下治具２６には、カーテンレール３３やカーテンレールを走行するランナー３４に引っ掛ける上鈎３５と、布目隙間１３ｂに差し込んで引っ掛ける下鈎３６を有し、上鈎の鈎先３７と下鈎の鈎先３８が互いに逆方向に突き出ていて概してＺ字形ないし逆向きのＮ字形を成している公知のカーテンフックやヒル環を使用することが出来る。しかし、図１に図示するように、吊下治具２６は、布目隙間１３ｂに掬い縫うようにして引っ掛けることが出来るように、下鈎３６の鈎先３８を長く真っ直ぐ突き出し、その引っ掛けた布目隙間１３ｂに引っ掛かるように鈎先３８の先端を折り返すと共に、上鈎３５の曲折した頭部を下鈎３６の鈎先３８に対して山形に突き出し、即ち、真っ直ぐ突き出た下鈎３６の鈎先３８に直交する方向に突き出し、その山形に突き出た上鈎３５の頭部からランナー３４が外れないように、その上鈎の鈎先３７が下鈎の鈎先３８とは逆方向に長く突き出た形状にする。更に、吊下治具２６は、山形に突き出た上鈎３５の頭部がカーテン生地の隙間溝２５から突き出て現れず、その上鈎の鈎先３７がカーテン生地の隙間溝内２５に隠れる形状にする。具体的に言えば、長く真っ直ぐ突き出た下鈎３６の鈎先３８から、山形に突き出た上鈎３５の頭部に到る距離、即ち、山形に突き出た上鈎３５の頭部の高さを、カーテン生地の隙間溝２５の深さ、即ち、溝底を形成しているミシン糸目１４から第１折目１１までの距離と同じ程度にする。
【００１９】
図１に示すカーテン生地では、第１折返代２１と第２折返代２２と生地本体２３を２条のミシン糸目１４・１５によって縫合されているが、そのミシン糸目の数は限定されず、そのミシン糸目の数は１条でも３条でもよい。図２に示すカーテン生地では、隣合う鎖編目列１７ａと鎖編目列１７ｂを５コース毎に太手の挿入糸１９で連結して中間筋目１３ａを形成し、その太手の挿入糸１９に区切られた目粗な編目１３ｂを５コース毎に形成しているが、隣合う鎖編目列１７ａと鎖編目列１７ｂを５コース毎に限らず２０〜３０コース毎に挿入糸１９で連結し、２０〜３０コース毎に目粗な編目１３ｂを形成してもよく、その目粗な編目１３ｂを形成するコースの数は限定されない。同様に、図３に示すカーテン生地では、隣合う各２本の経糸３１ａ・３１ａ（３１ｂ・３１ｂ）が緯糸５本毎に表裏反転した搦み織組織によって中間筋目１３ａが形成され、５本１束の緯糸３２に区切られた目粗な織目１３ｂがピッキング（緯糸打ち込み）５回毎に１個の割合で形成されているが、その目粗な織目１３ｂはピッキング２０〜３０回につき１個の割合で形成することも出来る。
【００２０】
【発明の効果】
本発明（請求項１）によると、吊下治具２６が第１折返代２１と第２折返代２２の間の隙間溝２６に取り付けられており、随時その鈎先３７を隙間溝２６から押し出してランナー３４に引っ掛けることが出来、洗濯時には隙間溝２６に収められているので吊下治具２６が邪魔にならず、吊下治具２６を取り外さずにカーテン生地を丸洗いすることが出来る。
【００２１】
隙間溝２６には吊下治具２６を引っ掛けて取り付ける布目隙間１３ｂが形成されており、その布目隙間１３ｂがカーテン生地の一部を成すものであるから、吊下治具２６を引っ掛けるための治具を隙間溝２６に取り付けたり、隙間溝２６を構成している第１折返代２１と第２折返代２２を縫合して吊下治具２６を引っ掛けるための縫目を隙間溝２６に設ける必要がなく、その隙間溝２６も第１筋目１１ａと第２筋目１２ａに沿って折り返してＮ字形に重なる第１折返代２１と第２折返代２２と生地本体２３をミシン糸目１４によって縫合するだけで形成され、第１筋目１１ａと第２筋目１２ａが一直線状に続く粗い布目隙間によって構成されているので、カーテン生地を１８０度方向を変えてＮ字形に折り曲げればアイロンを当てる等してセットするまでもなく、折返代２１・２２の幅が揃って折目１１・１２のシャープな縁取り２４と隙間溝２６が形成されることになり、間仕切りカーテン生地の縫製仕立てが大きく合理化される。
【００２２】
又、本発明（請求項１）によると、カーテン生地の上縁に吊下治具２６を出没自在に取り付けるために、特開２００２−２０９７２０や特開２００２−２０４７４５におけるように、特殊な芯地テープを二重に取り付ける必要がなく、又、芯地テープを全く必要としないので、その分だけカーテン生地の資材コストが低減し、芯地テープによってカーテン生地の可撓性が損なわれることがなく、ドレープ性に富む間仕切りカーテン生地が経済的に得られる。
【００２３】
更に、本発明（請求項１）によると、第１折返代２１と第２折返代２２と生地本体２３による縁取り２４が形成されており、カーテン生地の上縁部に芯地テープを取り付ける必要がなく、従って、芯地テープを取り付けた従来のカーテン生地のように、カーテン生地のドレープ性が芯地テープによって損なわれることがなく、又、カーテンを開けてカーテンレールの片端に寄せ集められて隣合うランナーとランナーの間においてカーテン生地の上縁部に出来る折目３９が、芯地テープに押し返されてアーチ形ないし蒲鉾形に弯曲することがなく、第１折目１１や第２折目１２と同様にシャープになる。その結果、カーテンレールの片端に寄せ集められ折り畳まれて出来るカーテン生地の襞溜まりも嵩張らず、従って、カーテンを開けて出来る居住空間がカーテン生地の襞溜まりによって狭められることがなく、カーテンを開けて居住空間を広く開放することが出来るようになる。そして、そのように寄せ集められ折り畳まれた状態での嵩（襞溜まり）を低くすることが出来るので、カーテン生地の収納・収容性が高まり、洗濯機に投入して丸洗いし易くなる。
【００２４】
このように本発明（請求項１）によると、カーテン生地の縫製仕立てが大きく合理化され、吊下治具２６を取り外さずに丸洗いすることが出来、又、丸洗いし易く、ドレープ性に富み、寄せ集められ折り畳まれて出来る襞溜まりが嵩張らず、居住空間を広く開放することが出来、コンパクトに折り畳んで収納・収容し易く、レンタル業務に適した間仕切りカーテン生地を効率的且つ経済的に得ることが出来る。
【００２５】
本発明（請求項２）によると、ミシン糸目１４の上縁側で第１折返代２１と第２折返代２２と生地本体２３が飛び飛びに縫合されているので、カーテン生地の上縁２０や第２折目１２が弛んで隙間溝２６が開いて目苦しい外観を呈する不都合が回避される。
【００２６】
透視部と遮蔽部に区切られたカーテン生地は、主として病室の間仕切りに使用され、その用途の特殊性からして頻繁に洗濯されるが、本発明（請求項３）によると、その都度吊下治具２６を取り外さずに丸洗い出来、メンテナンス（維持管理）が容易で病室間仕切り用としてのレンタル業務に適したカーテン生地が得られる。
【００２７】
透視部と遮蔽部に区切られたカーテン生地では、上縁２０を襞寄せして襞山を付け、或いは、上縁２０に折目３９をセットしても、その折目３９によって形成される襞山は、目粗な透視部で途切れて遮蔽部や下縁部（３０）にまでは連続しない。しかし、本発明（請求項４）によると、カーテン生地を折畳自在にする筋目１６が、襞山に平行に続く目粗な布目隙間によって形成され、洗濯によって消失することがないので、襞山が目粗な透視部で途切れるとしても、上縁部２０（縁取り２４）から遮蔽部２９へと一直線状に連続し、清楚で美しく病室を間切りることが出来、又、上縁部２０だけではなく遮蔽部２９を含むカーテン生地全体を筋目１６に沿ってコンパクトに綺麗に折り畳むことが出来、そのドレープ性と収納・収容性が更に改善され、カーテンを開けて出来る襞溜まりの嵩も一層縮まり、居住空間を一層広く開放することが出来、又、洗濯機に投入して一層丸洗いし易くなり、レンタル業務に最適の間仕切りカーテン生地が得られる。
【図面の簡単な説明】
【図１】本発明に係るカーテン生地の正面図であり、一部を円で囲んで拡大して図示している。
【図２】本発明に係るカーテン生地の正面図であり、一部を円で囲んで拡大して図示している。
【図３】本発明に係るカーテン生地の斜視図であり、一部を円で囲んで拡大して図示している。
【符号の説明】
１０  捨て筋目
１１  第１折目
１１ａ  第１筋目
１２  第２折目
１２ａ  第２筋目
１３ａ  中間筋目
１３ｂ  布目隙間（織目、編目）
１４・１５  ミシン糸目
１６  筋目
１７  鎖編目列
１８・１９  挿入糸
２０  カーテン生地の上縁
２１  第１折返代
２２  第２折返代
２３  生地本体
２４  縁取り
２５  隙間溝
２６  吊下治具
２７  ポケット
２８  透視部
２９  遮蔽部
３０  カーテン生地の下縁
３１  経糸
３２  緯糸
３３  カーテンレール
３４  ランナー
３５  上鈎
３６  下鈎
３７  上鈎の鈎先
３８  下鈎の鈎先
３９  折目
Ｗ    長さ方向
Ｈ    高さ方向
【図１】
0003713628.tif 000002
【図２】
0003713628.tif 000003
【図３】
0003713628.tif 000004